(57)【要約】【課題】２個あるいはそれ以上のシリンダ錠を連携させることでピッキング行為を困難にし、施錠および解錠の操作を簡単にした連結シリンダ錠を提供する。【解決手段】連結シリンダ錠１０は、互いに連携し合う２以上のシリンダユニット１２Ａ，１２Ｂを備える。シリンダユニット１２Ａ，１２Ｂは、シリンダケース１５に外筒１３が固定され、この外筒１３に内筒１４が回転可能に挿入される。外筒１３と内筒１４には、内筒１４の回転をロックするロック機構が内蔵される。内筒１４，１４の同軸上には連携ギア１６，１６が固定され、内筒１４，１４の回転力を伝達し合うように互いに連結される。【選択図】図１
2006177091.tif 000002
【特許請求の範囲】
【請求項１】
２以上のシリンダユニットを連携させるようにしたシリンダ錠であって、
前記シリンダユニットは、
シリンダケースに固定される外筒と、
前記外筒に回転可能に挿入される内筒と、
前記内筒の回転をロックするロック機構と、
前記内筒と同軸上に固定される連携ギアとを備え、
隣り合う前記シリンダユニットの各連携ギアは、前記内筒の回転力を伝達し合うように互いに連結されることを特徴とする、連結シリンダ錠。
【請求項２】
隣り合う前記シリンダユニットの各連携ギアは、前記連携ギアの間に中間ギアをかみ合わせることにより連結される、請求項１記載の連結シリンダ錠。
【請求項３】
隣り合う前記シリンダユニットの各連携ギアは、前記連携ギアに環状ベルトを巻き掛けてかみ合わせることにより連結される、請求項１記載のシリンダ錠。
【請求項４】
前記ロック機構は、
前記内筒のピン孔に挿入され、このピン孔から前記内筒の鍵穴に突出するタンブラーピンと、
前記外筒のピン孔に挿入され、前記タンブラーピンの軸方向に並ぶドライバーピンと、  前記外筒のピン孔で前記ドライバーピンを前記タンブラーピン側へ付勢する圧縮スプリングとを備え、
前記圧縮スプリングは、隣り合う前記シリンダユニットの外筒の架橋部に設けられ、かつ、そのスプリング両端で各シリンダユニットのドライバーピンをそれぞれ同軸上に付勢する、請求項１〜３のいずれか一項記載の連結シリンダ錠。
【請求項５】
請求項１〜４のいずれか一項記載の連結シリンダ錠に用いられる連結鍵であって、
鍵ボディと、
この鍵ボディに取り付けられるハンドルと、
前記鍵ボディに設けられ、前記ハンドルの操作により前記連結シリンダ錠の内筒に回転力を与える駆動鍵と、
前記鍵ボディに前記駆動鍵と所定の間隔を保って設けられ、前記連結シリンダ錠の内筒の回転時にこの内筒から回転力を受けて回転する従動鍵とを備えたことを特徴とする連結鍵。
【発明の詳細な説明】
【技術分野】
【０００１】
本発明は、連結シリンダ錠に関し、特に、ピッキング対策を施した防犯用のシリンダ錠に適用されるものである。
【背景技術】
【０００２】
従来のシリンダ錠の構成例を図１８に示した。シリンダ錠１は、外筒２と内筒３とを備え、内筒３の端部にラッチ４が設けられる。外筒２と内筒３との筒壁には、ピン孔Ｈが並設されており、これらのピン孔Ｈにタンブラーピン５、ドライバーピン６および圧縮スプリング７が収納される。
内筒３の鍵穴に鍵Ｋが挿入されない状態では、圧縮スプリング７がドライバーピン６を内筒３側に付勢し、ドライバーピン６のピン先で内筒３をロックする。内筒３の鍵穴に鍵Ｋを挿入すると、鍵溝に合わせてタンブラーピン５がドライバーピン６を圧縮スプリング７側に押し込み、タンブラーピン５とドライバーピン６の境界が外筒２と内筒３との境界に一致し、内筒３のロックが外れる。この状態で鍵Ｋを回すと、外筒２に対して内筒３が回転し、ラッチ４が施錠位置または解錠位置に切り替わる。
【０００３】
近年、このようなシリンダ錠を不正に解錠するピッキング事件が問題になっている。ピッキング行為は、例えば、内筒３の鍵穴から特殊工具を挿入してタンブラーピン５に負荷をかけ、外筒２と内筒３とのロックを解除することにより行われる。
【０００４】
従来、このようなピッキング対策として、一つの扉に２個のシリンダ錠を用いるものがある。例えば、玄関扉の取っ手付近に上下に間隔を保って２個のシリンダ錠を取り付ける。この種のシリンダ錠によれば、単独のシリンダ錠を使用する場合に比べてピッキングの操作に２倍の時間を要するため、不正浸入に対して抑止効果を期待することができる。
なお、シリンダ錠に関連する先行技術としては、下記特許文献１〜３が開示されている。
【０００５】
【特許文献１】特開２００３−１５５８５６号公報
【特許文献２】特開２００３−３４３１３７号公報
【特許文献３】特開２００２−２９５０７５号公報
【発明の開示】
【発明が解決しようとする課題】
【０００６】
しかしながら、このような従来のシリンダ錠では、単独のシリンダ錠の場合と同様なピッキング行為を繰り返せば、扉を解錠することができるため、ピッキング防止対策としては信頼性に欠ける面がある。
また、２個のシリンダ錠をそれぞれ施錠・解錠する操作が面倒になることから、頻繁に開閉する玄関扉などでは、一方のシリンダ錠のみを使用し、他方のシリンダ錠を使用しないことがあり、ピッキング対策が不十分になってしまうこともある。
【０００７】
これに対し、特許文献１〜３に示すように、主錠と補助錠とを連携させてピッキング対策を強化するようにしたシリンダ錠も知られているが、このようなシリンダ錠では、先に補助錠の鍵を回し、後で主錠の鍵を回すというように、予め決められた順序で各シリンダ錠を操作することが必要で、解錠・施錠に手間がかかりやすく、扉の開閉が不便になりやすい。また、特許文献１〜３の構成においても、各シリンダ錠に対して施錠時と逆の順序でピッキングを行うと、扉の解錠が可能になってしまう。
【０００８】
本発明は、このような現状に鑑みなされたもので、２個あるいはそれ以上のシリンダ錠を連携させることでピッキング行為を困難にし、しかも、施錠および解錠の操作が簡単な連結シリンダ錠を提供することを目的としている。
【課題を解決するための手段】
【０００９】
［第１発明］
前記課題を解決するための本発明（第１発明）の連結シリンダ錠は、
２以上のシリンダユニットを連携させるようにしたシリンダ錠であって、
前記シリンダユニットは、
シリンダケースに固定される外筒と、
前記外筒に回転可能に挿入される内筒と、
前記内筒の回転をロックするロック機構と、
前記内筒と同軸上に固定される連携ギアとを備え、
隣り合う前記シリンダユニットの各連携ギアは、前記内筒の回転力を伝達し合うように互いに連結される構成とした。
【００１０】
本発明（第１発明）の連結シリンダ錠は、２以上のシリンダユニットのうち一の内筒が回転すると、その回転力が連携ギアを介して他の内筒に伝達される。これらの内筒のうち一つでもその回転がロック機構によりロックされていると、全ての連携ギアが静止状態に保たれるため、全ての内筒が回転しない。すなわち、全てのロック機構を解除したときのみ、連携ギアを介して全ての内筒を回転させることができる。
この結果、連結シリンダ錠に対してピッキングを試みようとしても、全ての鍵穴に特殊工具を挿入してロック機構を同時に外さなければならず、ピッキング行為を行うことが極めて困難になる。
また、複数人でピッキングを試みようとしても、シリンダユニット同士が比較的近い間隔に保たれるため、作業スペースが十分にとれずに特殊工具を扱うことが困難になる。
【００１１】
また、本発明（第１発明）の連結シリンダ錠は、各シリンダユニットの鍵穴に鍵を差していずれか一の鍵のみを回転させれば、その力が連携ギアを介して他の鍵にも伝達される。このため、鍵の回転操作が一回で済み、施錠および解錠操作を簡単に行うことができる。
さらに、各シリンダユニットが連携を取り合う構成であるため、一のシリンダユニットのみ施錠し忘れるといった人為的なミスも解消される。
【００１２】
第１発明の連結シリンダ錠において、「ロック機構」としては、従来例に示したようなピンタイプのロック機構の他、ディスクタイプやマグネチックタイプのロック機構であってもよい。「ロック機構」は、シリンダユニット毎に異なるタイプであってもよいし、同一のタイプであってもよい。全てのシリンダユニットに同一の鍵を使用するように設定すれば、鍵穴に鍵を差し間違えることがなくなり、操作性がより向上する。
「連携ギア」を連結する手段は、一方の内筒の回転力を他方の内筒にそのまま伝達するものであることが望ましく、例えば連携ギア同士を直接かみ合わせる構成を挙げることができる。この場合、連携ギアが同一の歯数で回転数が等しくなるように設けられていると、各内筒の回転角が等しくなり、施錠および解錠の操作性が向上する。その他「連携ギア」の連結手段としては、各連携ギアの間に中間ギアをかみ合わせるもの（第２発明）、各連携ギアに環状ベルトを巻き掛けるもの（第３発明）であってもよい。
連結シリンダ錠の「シリンダケース」は、外筒を固定する構造をもつものであればその形状や大きさは問わない。
【００１３】
［第２発明］
本発明（第２発明）の連結シリンダ錠は、第１発明の構成を備えるものであって、
隣り合う前記シリンダユニットの各連携ギアは、前記連携ギアの間に中間ギアをかみ合わせることにより連結される構成とした。
【００１４】
第１発明において、隣り合うシリンダユニットの連携ギア同士が直接かみ合う構成であると、シリンダユニット毎に内筒の回転方向が逆向きの関係になる。このため、内筒を鍵で回すとき、鍵穴に応じて鍵の回転方向を区別しなければならず、施錠および解錠の操作が面倒になりやすい。
本発明（第２発明）の構成によれば、連携ギアの間に中間ギアをかみ合わせることにより、各シリンダユニットの内筒を統一した方向に回転させることができる。これにより、いずれの鍵穴においても、鍵の回転方向が同じになり、施錠および解錠の操作性を高めることができる。
【００１５】
［第３発明］
本発明（第３発明）の連結シリンダ錠は、第１発明の構成を備えるものであって、
隣り合う前記シリンダユニットの各連携ギアは、前記連携ギアに環状ベルトを巻き掛けてかみ合わせることにより連結される構成とした。
【００１６】
本発明（第３発明）の構成によれば、各シリンダユニットの連携ギアが環状ベルトにより連結されるため、ベルト長さを調節することで、シリンダユニット間の間隔を自在に設定することができる。これにより、扉等への連結シリンダ錠の取付けの自由度が増す。
また、各シリンダユニットの内筒は、連携ギアおよび環状ベルトにより同一方向に回転するため、前記第２発明と同様に、施錠および解錠時の鍵の操作性を高めることが可能になる。
【００１７】
［第４発明］
本発明（第４発明）の連結シリンダ錠は、第１〜３発明のいずれか一の構成を備えるものであって、
前記ロック機構は、
前記内筒のピン孔に挿入され、このピン孔から前記内筒の鍵穴に突出するタンブラーピンと、
前記外筒のピン孔に挿入され、前記タンブラーピンの軸方向に並ぶドライバーピンと、  前記外筒のピン孔で前記ドライバーピンを前記タンブラーピン側へ付勢する圧縮スプリングとを備え、
前記圧縮スプリングは、隣り合う前記シリンダユニットの外筒の架橋部に設けられ、かつ、そのスプリング両端で各シリンダユニットのドライバーピンをそれぞれ同軸上に付勢する構成とした。
【００１８】
本発明（第４発明）の連結シリンダ錠は、隣り合うシリンダユニットがピン式のロック機構を有しており、しかも、これらのロック機構が一の圧縮スプリングを共有する。このため、一方のロック機構のタンブラーピンに負荷をかけると、この負荷が圧縮スプリングを介して他方のロック機構のタンブラーピンにまで及ぶ。
仮に、特殊工具を用いて一方のロック機構のタンブラーピンに負荷を与えて内筒のロックを解除したとしても、他方のロック機構のタンブラーピンに負荷をかけるときに、先のタンブラーピンの位置がズレて内筒がロック状態に戻ってしまう。
このように第４発明の構成では、圧縮スプリングの両端でバランスを保ちつつタンブラーピンおよびドライバーピンを付勢する構成であるから、ピッキング行為が極めて困難になる。
【００１９】
［第５発明］
本発明（第５発明）の連結鍵は、第１発明〜第４発明のいずれか一記載の連結シリンダ錠に用いるものであって、
鍵ボディと、
この鍵ボディに取り付けられるハンドルと、
前記鍵ボディに設けられ、前記ハンドルの操作により前記連結シリンダ錠の内筒に回転力を与える駆動鍵と、
前記鍵ボディに前記駆動鍵と所定の間隔を保って設けられ、前記連結シリンダ錠の内筒の回転時にこの内筒から回転力を受けて回転する従動鍵とを備える構成とした。
【００２０】
第５発明の連結鍵は、連結シリンダ錠の各鍵穴に駆動鍵および従動鍵を同時に差し込むと、これらのロック機構が同時に解除され、全ての内筒が回動可能になる。この状態でハンドルを操作すると、駆動鍵が一の内筒を回転させ、連携ギアを介して他の内筒を回転させる。そして、この内筒の回転に伴って従動鍵が回転する。
【００２１】
このように第５発明の連結鍵によれば、連結シリンダ錠に駆動鍵および従動鍵を差し込んで、一回のハンドル操作で解錠および施錠操作を行うことができる。これにより、本発明の連結シリンダ錠をより簡単かつ快適に使用することができる。また、複数の鍵を別個に管理する必要がなくなるため、鍵の紛失や取り違い等のトラブルを未然に防止することが可能になる。
【００２２】
本発明の連結シリンダ錠および連結鍵は、例えば玄関扉や門扉に適用するとよい。その他、シャッター、金庫、家具、家電製品、自販機等の錠前として適用することができる。
本発明（第１〜５発明）は、単独で適用してもよいし、これらの発明を必要に応じて組み合わせて適用してもよい。また、本発明（第１〜５発明）に本明細書に記載される他の発明を組み合わせてもよい。
【発明を実施するための最良の形態】
【００２３】
以下、本発明の実施形態を図面に基づいて説明する。
［第１実施形態］
第１実施形態のシリンダ錠１０を図１〜図６に示した。
図１および図２に示すように、シリンダ錠１０は、２個のシリンダユニット１２Ａ，１２Ｂを備えている。シリンダケース１５に各ユニット１２Ａ，１２Ｂが上下に隣り合うように収納される。
【００２４】
シリンダユニット１２Ａ，１２Ｂは、それぞれ外筒１３と内筒１４とを有している。内筒１４の端部には連携ギア１６が固定されており（図３参照）、この連携ギア１６と内筒１４が外筒１３の内側で一体に回転するようになっている。
シリンダユニット１２Ａ，１２Ｂの内部にはピン式のロック機構が内蔵されている。これらのロック機構によって内筒１４が外筒１３の内側で回転するか否かの状態、すなわち内筒１４のロック状態と非ロック状態が切り替えられる。
【００２５】
図２に示すように、シリンダケース１５には、シリンダユニット１２Ａ，１２Ｂを収納するための収納スペースＳ１が設けられる。この収納スペースＳ１には縦溝１５ａと横溝１５ｂとが形成されており、これらの溝に外筒１３の縦片１３ａと横片１３ｂとが嵌る。各溝で縦片１３ａと横片１３ｂが止められるため外筒１３がシリンダケース１５内で回転することはない。
シリンダケース１５の正面側には、２個の鍵窓１５ｄが上下に並んで空いている（図１参照）。これらの鍵窓１５ｄから内筒１４の鍵穴が覗くようになっている。
一方、シリンダケース１５の背面側には蓋１８が取り付けられる。蓋１８には内窓１８ｄが設けられ、この内窓１８ｄを通して連携ギア１６が外側に突出するようになっている（図３参照）。
【００２６】
図４および図５に示すように、シリンダユニット１２Ａ，１２Ｂのロック機構は、外筒１３と内筒１４とに連なるピン孔Ｈに、タンブラーピン２１、ドライバーピン２２，および圧縮スプリング２３を収納してなる。
【００２７】
ピン孔Ｈの一端は、外筒１３の縦片１３ａの先端付近まで延び、他端は内筒１４の鍵穴に開放している。ピン孔Ｈの内筒１４側にタンブラーピン２１が挿入され、ピン孔Ｈの外筒１３側にドライバーピン２２および圧縮スプリング２３が挿入される。すなわち、内筒１４の鍵穴に近い側からタンブラーピン２１、ドライバーピン２２，および圧縮スプリング２３が順に並ぶ。ピン孔Ｈで圧縮スプリング２３がドライバーピン２２を介してタンブラーピン２１を鍵穴側へ押し出すため、タンブラーピン２１のピン先が鍵穴に突出することになる。
【００２８】
タンブラーピン２１とドライバーピン２２の長さは、鍵Ｋの鍵溝に合わせて調整される。図４および図５に示すように、鍵穴に鍵Ｋを差し込むと、鍵溝に沿ってタンブラーピン２１が圧縮スプリング２３側に押され、タンブラーピン２１とドライバーピン２２との境界が外筒１３と内筒１４との境界に一致して内筒１４のロックが解除される。鍵穴から鍵Ｋを抜き取ると、タンブラーピン２１およびドライバーピン２２が圧縮スプリング２３により鍵穴に向けて押されるため、これらのピンの境界が内筒側にズレる。これにより、外筒１３と内筒１４との境界にドライバーピン２２の先端が当たり、内筒１４の回転がロックされた状態になる。
【００２９】
連携ギア１６、１６は、それぞれ内筒１４，１４の同軸上に固定される。各連携ギア１６、１６は、それぞれ同一のサイズで同一の歯数をもち、上下にかみ合う。これにより、内筒１４，１４の回転力が連携ギア１６，１６を介して互いに伝達される。
【００３０】
シリンダユニット１２Ａ，１２Ｂのうち下側のシリンダユニット１２Ｂには、ラッチ１７が設けられる。ラッチ１７は、連携ギア１６に側面に固定され、扉の留め金（図示省略）に連結される。
連携ギア１６が回転すると、これに伴ってラッチ１７が待機位置から施錠位置または解錠位置に切り替わる。例えば連携ギア１６が図６（Ａ）の待機位置から矢印ｂ方向へ９０゜回転すると、ラッチ１７が施錠位置になり（図６（Ｂ）参照）、扉の留め金を閉鎖位置に移動させる。一方、連携ギア１６が図６（Ａ）の待機位置から矢印ｃ方向へ９０゜回転すると、ラッチ１７が解錠位置になり（図６（Ｃ）参照）、扉の留め金を開放位置に移動させる。
【００３１】
次に、シリンダ錠１０の使用方法を説明する。
シリンダ錠１０では、シリンダユニット１２Ａ，１２Ｂにそれぞれ専用の鍵Ｋ，Ｋを２本使用する。各鍵Ｋ，Ｋは、それぞれ同一のパターンの鍵溝になっており、いずれの鍵をいずれのシリンダユニット１２Ａ，１２Ｂに使用してもよい。
シリンダ錠１０を施錠または解錠する場合、図４に示すように、シリンダユニット１２Ａ，１２Ｂの鍵穴に２本の鍵を差し込む。このとき、各ユニット１２Ａ，１２Ｂのタンブラーピン２１が鍵溝で押されて上下の内筒１４，１４のロックが共に解除される。
【００３２】
このような状態で、上下どちらか一方の鍵Ｋを施錠または解錠方向に回転させると、この回転力が連携ギア１６，１６を介して他方のユニットの内筒１４に伝達される。そして、図６に示すように、２つの内筒１４，１４が同時に逆向きに回転し、ラッチ１７を施錠位置または解錠位置に切り替える。
【００３３】
このように本実施形態のシリンダ錠１０によれば、シリンダユニット１２Ａ，１２Ｂが連携ギア１６、１６で連結されるため、双方の内筒１４，１４が同時に回転するときにのみラッチ１７の位置を切り替えることができる。このため、２つのシリンダユニット１２Ａ，１２Ｂのタンブラーピン２１に同時にテンションをかけた状態を保つことが必要になり、通常想定されるピッキング行為をシリンダユニット１２Ａ，１２Ｂに繰り返すだけでは、シリンダ錠１０を解錠することができなくなる。
【００３４】
また、複数人で同時にシリンダユニット１２Ａ，１２Ｂに対してピッキングを試みようとしても、本実施形態のように各ユニット１２Ａ，１２Ｂの鍵穴が極めて近い位置にあると、操作スペースを確保することができないために、ピッキングを行うことが困難になる。このように本実施形態のシリンダ錠１０では、単独でも複数人でもピッキング行為を効果的に防止することができる。
【００３５】
また、本実施形態のシリンダ錠１０は、施錠または解錠時に２本の鍵Ｋ，Ｋのうち一方のみを回転させれば、連携ギア１６を介して他方の鍵が自動的に回転する。すなわち、一回の操作で２本の鍵Ｋ，Ｋを同時に回すことができ、施錠または解錠の操作を簡単にすることができる。解錠および施錠操作に２本の鍵を同時に使用する利点を利用して、例えば、家族や友人などの信頼のおける人が各自鍵を所有し、必要な人員が揃ったときにだけ扉を施錠または解錠を行うといった特殊な使用方法も可能になる。
【００３６】
さらに、本実施形態のシリンダ錠１０は、２つのシリンダユニット１２Ａ，１２Ｂが常に連携し合う構成であるため、一方のシリンダユニットのみを単独で使用することができない。この点、２つのシリンダ錠を別個に取り付けて使用する場合に比べ、鍵のかけ忘れを確実に防ぐことができ、防犯効果を高めることができる。
さらに、連携ギア１６，１６間には遊びの隙間がほとんど生じないため、回転力の伝達の応答性が良好になり、鍵の操作感が優れたものになる。すなわち、良好な応答性により２つの鍵のうち一方を回転させるだけで、他方の鍵とシリンダが瞬時に連動するという操作上の優れた効果が得られる。
【００３７】
次に、他の実施形態を説明する。なお、他の実施形態によるシリンダ錠において、前述の第１実施形態と実質的に同一の構成部分には同一の符号を付している。
【００３８】
［第２実施形態］
第２実施形態の連結シリンダ錠を図７および図８に示した。第２実施形態は、２個の連携ギアの間に中間ギアを設けたものである。
第２実施形態のシリンダ錠３０は、シリンダケース１５にシリンダユニット３２Ａ，３２Ｂが収納される。各ユニット３２Ａ，３２Ｂはそれぞれ外筒１３、内筒１４および連携ギア３３を備えており、外筒１３および内筒１４には第１実施形態と同様なピン式のロック機構が内蔵されている。
【００３９】
連携ギア３３，３３は、第１実施形態よりもギア径が小さくなっており、これらのギアの間に中間ギア３４がかみ合う。連携ギア３３，３３と中間ギア３４とは、縦方向に一列に並び、連携ギア３３，３３の一方の回転力が中間ギア３４を介して他方の連携ギアに伝達されるようになっている。
【００４０】
中間ギア３４の後方には、ラッチ３５が固定される。中間ギア３４の回転に伴ってラッチ３５が待機位置から施錠位置または解錠位置に切り替わる。
【００４１】
シリンダユニット３２Ａ，３２Ｂを収納するシリンダケース１５は、第１実施形態よりも若干縦方向に長い。図８に示すように、シリンダユニット３２Ａ，３２Ｂの各挿入口の間には、中間ギア３４の軸３４ａを受けるための軸受穴１５ｅが形成される。
【００４２】
シリンダケース１５の蓋３６は、その内側に連携ギア３３，３３および中間ギア３４の収納スペースＳ２を有している（図７参照）。シリンダケース１５にシリンダユニット３２Ａ，３２Ｂを組み込んで蓋３６を閉じると、収納スペースＳ２内で連携ギア３３，３３と中間ギア３４が蓋３６に覆われる。
蓋３６の中央には円形の内窓３６ａが設けられる。内窓３６ａには中間ギア３２の軸３４ｂが嵌る。中間ギア３２のラッチ３５は内窓３６ａから蓋３６の外側に突出する。
【００４３】
シリンダユニット３２Ａ，３２Ｂの鍵穴にそれぞれ鍵を差し込んで一方の鍵を回すと、一方の連携ギア３３が中間ギア３２を回転させ、次いで、この中間ギア３２が他方の連携ギア３３を回転させる。この結果、連携ギア３３，３３と中間ギア３２とが同時に等しい回転角だけ回転することになる。
【００４４】
第２実施形態の構成によれば、中間ギア３２を介して連携ギア３３，３３を回転させるため、連携ギア３３，３３の回転方向が同一方向に揃う。このため、シリンダユニット３２Ａ，３２Ｂの鍵穴で２本の鍵を回す方向が同じになり、常に同じ方向に鍵を回して施錠および解錠の操作をすることができ、使い勝手が向上する。
なお、本実施形態では、中間ギア３２にラッチ３５を設けているが、ラッチ３５の位置は必ずしも中間ギア３２ではなく、連携ギア３３，３３側に設けてもよい。
【００４５】
［第３実施形態］
第３実施形態の連結シリンダ錠を図９〜図１１に示した。第３実施形態は、２個の連携ギアを環状ベルトで連結する構成としたものである。
シリンダ錠４０は、シリンダケース１５に２個のシリンダユニット４２Ａ，４２Ｂが収納される。シリンダユニット４２Ａ，４２Ｂの外筒１３および内筒１４には、第１実施形態と同様なピン式のロック機構が内蔵されている。
【００４６】
内筒１４の端部には、止め盤４３，４３を介して連携ギア４４，４４が固定される。連携ギア４４，４４は、内筒１４と同軸上にあり、それぞれ同一の大きさおよび歯数で、これらの上下間に所定の間隔が保たれている。
【００４７】
連携ギア４４，４４の外周には、環状ベルト４５が巻き掛けられる。連携ギア４４，４４は環状ベルト４５を介して回転力を互いに伝達し合う。
環状ベルト４５の側方には固定具４６，４６が取り付けられる。これらの固定具４６は、連携ギア４４，４４から環状ベルト４５が脱落するのを防止する。
【００４８】
シリンダユニット４２Ｂ側の固定具４６にはラッチ４７が設けられる。連携ギア４４の回転に伴ってラッチ４７が待機位置から施錠位置または解錠位置に切り替わる。
シリンダケース１５の蓋４８は、その内側に連携ギア４４，４４と環状ベルト４５の収納スペースＳ３を有している。蓋４８の中央やや下側の位置には、内窓４８ａが形成され、この内窓４８ａからラッチ４７が外側へ突出するようになっている。
【００４９】
シリンダユニット４２Ａ，４２Ｂの鍵穴にそれぞれ鍵を差し込んで一方の鍵を回すと、一方の連携ギア４４が環状ベルト４５を駆動し、この環状ベルト４５を介して他方の連携ギア４４が回転する。この結果、連携ギア４４，４４は、それぞれ等しい回転角で同時に回転することになる。
【００５０】
第３実施形態によれば、第２実施形態と同様に連携ギア４４，４４の回転方向が同じになるため、シリンダユニット毎に鍵を回す方向を区別する必要がなくなり、シリンダ錠４０の使い勝手が向上する。また、環状ベルト４５の長さ調整により、連携ギア４４，４４の間隔を自在に設定することができるという利点がある。
【００５１】
［第４実施形態］
第４実施形態のシリンダ錠を図１２および図１３に示す。第４実施形態は、２個のシリンダユニットのロック機構を連携させたものである。
シリンダ錠５０は、シリンダユニット５２Ａ，５２Ｂを備えている。シリンダユニット５２Ａ，５２Ｂにはそれぞれ外筒５３と内筒５４とが設けられ、外筒５３と内筒５４との間にピン式のロック機構が内蔵されている。内筒５４の端部には連携ギア５６，５６が固定される。これらの連携ギア５６，５６がかみ合って一方の回転力を他方に伝達するようになっている。
【００５２】
外筒５３の側面には縦片５３ａと横片５３ｂとが突出している。このうち縦片５３ａは前述の第１〜３実施形態と上下反対の向きに延び、上下のユニット５２Ａ，５２Ｂを架橋するように連なっている。
【００５３】
シリンダユニット５２Ａ，５２Ｂのロック機構は、外筒５３と内筒５４の各筒壁を上下に連通するピン孔Ｈに、タンブラーピン６１，６１、ドライバーピン６２，６２、および圧縮スプリング６３を収納してなる。ピン孔Ｈの内筒５４，５４側にタンブラーピン６１，６１、ピン孔Ｈの外筒５３，５３側にドライバーピン６２，６２および圧縮スプリング６３が収納される。
圧縮スプリング６３は、ピン孔Ｈの縦片５３ａ部分で上下のドライバーピン６２，６２に挟まれる。すなわち、圧縮スプリング６３の両端でドライバーピン６２，６２、タンブラーピン６１，６１がそれぞれ上下に向けて付勢される。
【００５４】
内筒５４の鍵穴に鍵Ｋ，Ｋをそれぞれ挿入すると、これらの鍵溝でタンブラーピン６１，６１のピン先が押され、圧縮スプリング６３が中央に向けて圧縮される。そして、タンブラーピン６１，６１とドライバーピン６２，６２との境界が外筒５３と内筒５４との境界に一致し、内筒５４，５４のロックが解かれる。この状態で鍵Ｋ，Ｋの一方を回すことで、連携ギア５６のラッチ５７が施錠位置または解錠位置に切り替わる。
【００５５】
第４実施形態の構成によれば、シリンダユニット５２Ａと５２Ｂとのロック機構が圧縮スプリング６３を共有する構成であるため、上下のタンブラーピン６１，６１に同時に適切な負荷をかけて圧縮スプリング６３を両側から圧縮しなければ内筒５４，５４のロックを解くことができない。このため、ピッキングによるシリンダ錠５０の解錠が困難になり、第１〜３実施形態よりもさらに防犯性の高いシリンダ錠を得ることができる。
また、２個のシリンダユニット５２Ａ，５２Ｂの縦片５３ａを共有する構成であるため、別々に縦片を形成する場合に比べ縦片一個分の上下寸法が短くなり、シリンダ錠５０のコンパクト化を図りやすくなる。
【００５６】
［第５実施形態］
本発明の連結シリンダ錠に用いるための連結鍵の構成例を図１４〜図１７に示した。この連結鍵は、前記第１〜４実施形態のシリンダ錠に適用することができる。なお、図１４〜図１７において、各鍵は、説明の都合上、鍵溝を省略して記載している。
図１４に示すように、連結鍵７０は、鍵ボディ７１に駆動鍵７２と従動鍵７３が並設されている。鍵ボディ７１の後方には、駆動鍵７２を回転させるためのハンドル７４が取り付けられている。
【００５７】
図１５に示すように、鍵ボディ７１には、駆動鍵７２の支軸７５と、従動鍵７３の支軸７６とが収納される。これらの取付穴７５ａ，７６ａに各鍵の根元部が差し込まれる。
鍵ボディ７１の各鍵と反対側には蓋７７が嵌まる。蓋７７の軸穴７７ａから支軸７５の角ピン７５ｂが突出するようになっている。
ハンドル７４には、角ピン７５ｂに嵌合可能な軸受７４ａが設けられており、軸受７４ａに角ピン７５ｂを固定することにより、ハンドル操作で駆動鍵７２が回転可能になる。なお、従動鍵７３は、ハンドル７４の操作と関係なく、支軸７６によって鍵ボディ７１に回転自在に支持される。
【００５８】
鍵ボディ７１の各支軸７５，７６の間には、玉付きバネ７８が取り付けられる。玉付きバネ７８は、支軸７５，７６の周面で圧縮されており、これらの周面の窪み７６ｂ，７６ｂにバネ両端の玉Ｂ，Ｂが押し付けられるように嵌まる（図１６参照）。駆動鍵７２および従動鍵７３が図１４の状態から回転すると、各玉Ｂ，Ｂが窪み７６ｂ，７６ｂから外れて支軸７５，７６の周面に摺接する。駆動鍵７２および従動鍵７３が元の位置に戻ると、各玉Ｂ，Ｂが再度窪み７６ｂ，７６ｂに嵌る。すなわち、この玉付きバネ７８は、駆動鍵７２および従動鍵７３を図１４に示す待機位置に安定的に保持する役割を果たす。
【００５９】
例えば第１実施形態のシリンダ錠１０に連結鍵７０を使用する場合、シリンダユニット１２Ｂの鍵穴に駆動鍵７２を差し込み、同時にシリンダユニット１２Ａの鍵穴に従動鍵７３を差し込む。このとき、各鍵７２，７３の鍵溝でタンブラーピン２１，２１が押され、内筒１４，１４のロックが外れる。この状態でハンドル７４を操作して駆動鍵７２を回転させると、その回転力が連携ギア１６，１６を介して内筒１４，１４に伝達され、これに同期して従動鍵７３が回転する。
【００６０】
このように第５実施形態の連結鍵７０によれば、２個の鍵穴に２本の鍵を同時に差し込んでハンドル７４を回転させることで、施錠および解錠操作を極めて簡単に行うことができる。ハンドル７４の操作方向も一律になるので、鍵を回す度にその回転方向を意識する必要がなくなる。
また、２個の鍵（駆動鍵７２と従動鍵７３）が鍵ボディ７１と一体になっているため、別個に管理する場合に比べ、鍵を紛失したり、取り違うなどのミスも少なくなる。
なお、連結鍵７０の構成については、図１４鎖線に示すように、例えば鍵ボディ７１の正面中央に凸部７９を設けてもよい。この凸部７９は、第２実施形態のシリンダ錠３０に鍵７２，７３を差すとき、シリンダケース１５の係止穴３９（図７参照）に嵌る。このような構成によれば、係止穴３９に凸部７９を嵌めることでハンドル７４を回すときに鍵ボディ７１を安定させることができるため、２つの鍵７２，７３の回転操作がさらに行いやすくなる。
【００６１】
以上、本発明の第１実施形態〜第５実施形態を説明したが、実施形態の構成は、これらに限られることはなく、他の変形を伴ってもよい。
例えば第１〜４実施形態において、シリンダユニットの数を３個以上に増やしてもよい。また、第５実施形態において、鍵穴の数に応じて従動鍵の数を増やしてもよい。
また、第１〜４実施形態では、外筒の縦片にロック機構を設けているが、外筒の横片にロック機構を設けてもよい。第１〜４実施形態の外筒の形状については、縦片および横片を有するタイプのものに限らず、多角柱タイプや円柱タイプであってもよい。
さらに、第１〜４実施形態では２個の鍵窓の配置が上下に並んでいるが、左右その他の位置関係にしても構わない。また、第１〜４実施形態において、本発明の範囲内であれば、別個の部材を一体に形成してもよく、逆に一体の部材を別個の部材に分割して組み合わせるようにしてもよい。
【図面の簡単な説明】
【００６２】
【図１】本発明の第１実施形態によるシリンダ錠を示す正面側分解斜視図である。
【図２】同シリンダ錠の背面側分解斜視図である。
【図３】同シリンダ錠の背面側斜視図である。
【図４】同シリンダ錠を示す縦断面図である。
【図５】同シリンダ錠を示す図４Ｖ−Ｖ線横断面図である。
【図６】同シリンダ錠の連携ギアを示すもので、（Ａ）はラッチの待機位置を示す作用説明図、（Ｂ）はラッチの施錠位置を示す作用説明図、（Ｃ）はラッチの解錠位置を示す作用説明図である。
【図７】本発明の第２実施形態によるシリンダ錠を示す正面側分解斜視図である。
【図８】同シリンダ錠の背面側分解斜視図である。
【図９】本発明の第３実施形態によるシリンダ錠を示す正面側分解斜視図である。
【図１０】同シリンダ錠の背面側分解斜視図である。
【図１１】同シリンダ錠の背面側斜視図である。
【図１２】本発明の第４実施形態によるシリンダ錠を示す縦断面図である。
【図１３】同シリンダ錠を示す図１２XIII−XIII線横断面図である。
【図１４】本発明の第５実施形態による連結鍵を示す斜視図である。
【図１５】同連結鍵の分解斜視図である。
【図１６】同連結鍵の断面図である。
【図１７】同連結鍵の使用状態を示す斜視図である。
【図１８】従来のシリンダ錠の構成例を示す縦断面図である。
【符号の説明】
【００６３】
１０    シリンダ錠
１２Ａ，１２Ｂ  シリンダユニット
１３    外筒
１３ａ  縦片
１３ｂ  横片
１４    内筒
１５    シリンダケース
１５ａ  縦溝
１５ｂ  横溝
１６    連携ギア
１７    ラッチ
１８    蓋
２１    タンブラーピン
２２    ドライバーピン
２３    圧縮スプリング
７０    連結鍵
７１    鍵ボディ
７２    駆動鍵
７３    従動鍵
７４    ハンドル
Ｈ    ピン孔
Ｋ    鍵
【図１】
2006177091.tif 000003
【図２】
2006177091.tif 000004
【図３】
2006177091.tif 000005
【図４】
2006177091.tif 000006
【図５】
2006177091.tif 000007
【図６】
2006177091.tif 000008
【図７】
2006177091.tif 000009
【図８】
2006177091.tif 000010
【図９】
2006177091.tif 000011
【図１０】
2006177091.tif 000012
【図１１】
2006177091.tif 000013
【図１２】
2006177091.tif 000014
【図１３】
2006177091.tif 000015
【図１４】
2006177091.tif 000016
【図１５】
2006177091.tif 000017
【図１６】
2006177091.tif 000018
【図１７】
2006177091.tif 000019
【図１８】
2006177091.tif 000020